(57)【要約】【課題】  構成の簡素化と、それによるコスト低減とが達成され得る組立式漏斗を提供する。【解決手段】  平面状の折畳み状態から立体にして使用する組立式漏斗１であって、漏斗本体２と、該漏斗本体２の下端部の液体出口３をボトル４の口５に対して位置決めする位置決め部材６と、を備える。該位置決め部材６は、前記液体出口３よりも上方の位置で前記漏斗本体２の周方向に沿って配設されて前記ボトル４の口５の上縁部５ａに係合する少なくとも三つの爪部材６ａ，６ａ，６ｂ，６ｂである。該各爪部材６ａ，６ａ，６ｂ，６ｂは、前記漏斗本体２に切欠き形成又は切込み形成される。【選択図】    図１
0003171453.tif 000002
【実用新案登録請求の範囲】
【請求項１】
平面状の折畳み状態から立体にして使用する組立式漏斗であって、漏斗本体と、該漏斗本体の下端部の流体出口をボトルの口に対して位置決めする位置決め部材と、を備え、該位置決め部材は、前記流体出口よりも上方の位置で前記漏斗本体の周方向に沿って配設されて前記ボトルの口の上縁部に係合する少なくとも三つの爪部材であり、該各爪部材は前記漏斗本体に切欠き形成又は切込み形成されることを特徴とする、組立式漏斗。
【請求項２】
前記各爪部材が、前記ボトルの口の上端縁に接触して該上端縁の外方斜め下方へ傾斜して伸びている、請求項１に記載の組立式漏斗。
【請求項３】
前記爪部材の少なくとも一つが、前記漏斗本体から切り起こされて縦方向に延びるフラップの下端部に形成されている、請求項１又は２に記載の組立式漏斗。
【請求項４】
前記漏斗本体が、折れ線を介して連設される一対の逆三角形状又は扇形状の漏斗半体を備え、一方の漏斗半体の自由縁に折れ線を介してのりしろが連設され、該のりしろによって前記一対の漏斗半体の自由縁同士が互いに連結される、請求項１，２又は３に記載の組立式漏斗。
【考案の詳細な説明】
【技術分野】
【０００１】
本考案は、ボトルに流体を入れる際に平面状の折畳み状態から立体にして使用する組立式漏斗に関するものである。
【背景技術】
【０００２】
液体洗剤等の液体製品は、ボトルに詰めた状態で販売されるほか、ボトルへの補充用として、袋に詰めて販売される。ボトルの口はさほど大きくはないので、袋からボトルへの液体の移し替え作業においては、液体がボトルの口からはみ出してこぼれてしまうことがある。これを防ぐためには漏斗を使用すればよいが、漏斗が準備されていない家庭も多い。
【０００３】
そこで、補充用袋詰め液体製品に簡易な組立式の漏斗を添付して販売することが考えられる。このような漏斗として、特許文献１に記載のものが提案されている。この従来のものは、漏斗本体と、該漏斗本体の液体出口をボトルの口に対して位置決めする位置決め部材と、を備え、該位置決め部材が、ボトル開口部に外嵌するように環状に構成される。そして、この構成により、漏斗本体をボトルの口に安定して取り付けることができ、液体をボトルに注ぎ込む際に漏斗を手指で把持しなくてもよいので、ぐにゃぐにゃした液体入り袋から液体を注ぐ場合であっても、袋を両手で把持できるため、容易に液体を注ぎ込むことができるとされている。
【０００４】
なお、特許文献１では、前記位置決め部材の具体例として二つの態様が記載されている。一つは、漏斗本体の下部から横方向に延び、ボトル開口部に嵌合する嵌合穴を中央部に有するフランジ部であり、二つ目は、漏斗本体の下部から切り起こされてボトル開口部に外嵌される切り起こし片である。
【先行技術文献】
【特許文献】
【０００５】
【特許文献１】特許第３３８６９９２号公報
【考案の概要】
【考案が解決しようとする課題】
【０００６】
本考案は、前記従来の漏斗による利点を保持しつつ、なお一層の構成の簡素化と、それによるコスト低減とが達成され得る組立式漏斗を提供しようとするものである。
【課題を解決するための手段】
【０００７】
前記課題を解決するため、本考案に係る漏斗は、平面状の折畳み状態から立体にして使用する組立式漏斗であって、漏斗本体と、該漏斗本体の下端部の流体出口をボトルの口に対して位置決めする位置決め部材と、を備え、該位置決め部材が、前記流体出口よりも上方の位置で前記漏斗本体の周方向に沿って配設されて前記ボトルの口の上縁部に係合する少なくとも三つの爪部材であり、該各爪部材は前記漏斗本体に切欠き形成又は切込み形成されることを特徴とする（請求項１）。
【０００８】
本考案によれば、前記漏斗本体の流体出口を前記ボトルの口に挿入すると、前記少なくとも三つ爪部材が前記ボトルの口の上縁部に係合し、これによって、前記流体出口が前記ボトルの口に対して位置決めされる。このため、漏斗本体をボトルの口に安定して取り付けることができる。液体をボトルに注ぎ込む際に漏斗を手指で把持しなくてもよいので、ぐにゃぐにゃした流体入り袋から流体を注ぐ場合であっても、袋を両手で把持して容易に流体を注ぎ込むことができる。
【０００９】
本考案によれば、前記位置決め部材が前記漏斗本体に切欠き形成又は切込み形成される少なくとも三つの爪部材であるので、構成が簡素であり、製造コストの低減にも貢献できる。
【００１０】
好適な実施の一形態として、前記各爪部材が、前記ボトルの口の上端縁に接触して該上端縁の外方斜め下方へ傾斜して伸びている態様を例示する（請求項２）。この態様によれば、ボトルの口に対する漏斗の取り付け状態の安定性が増すので、一層好適である。
【００１１】
好適な実施の一形態として、前記爪部材の少なくとも一つが、前記漏斗本体から切り起こされて縦方向に延びるフラップの下端部に形成される態様を例示する（請求項３）。
【００１２】
好適な実施の一形態として、前記漏斗本体が、第一の折れ線を介して連設される一対の逆三角形状又は扇形状の漏斗半体を備え、一方の漏斗半体の自由縁に第二の折れ線を介してのりしろが連設され、該のりしろによって前記一対の漏斗半体の自由縁同士が互いに連結される態様を例示する（請求項４）。この場合、前記第一の折れ線の部分で前記漏斗本体を折り曲げるとともに、前記第二の折れ線の部分で前記のりしろの部分を折り曲げて、該のりしろを利用して前記一対の漏斗半体の自由縁同士を互いに連結する。そして、前記漏斗本体は、前記第一の折れ線と第二の折れ線の部分で平面状に折畳まれる。使用時には、前記各漏斗半体を湾曲させて前記漏斗本体を円錐状に組み立てればよい。よって、構成が簡潔でありコストも抑制できるほか、漏斗の組み立ても容易に行える。
【図面の簡単な説明】
【００１３】
【図１】本考案の実施の一形態に係る漏斗の組立状態を示す斜視図である。
【図２】図１の漏斗の展開図である。
【図３】図１の漏斗の折畳み状態を示す平面図である。
【図４】図１の漏斗の使用方法を示す斜視図である。
【図５】図１の漏斗の使用方法を示す斜視図である。
【図６】図１の漏斗の使用方法を示す斜視図である。
【図７】図１の漏斗の使用方法を示す斜視図である。
【図８】図１の漏斗の使用方法を示す斜視図である。
【図９】図１の漏斗の使用方法を示す斜視図である。
【考案を実施するための形態】
【００１４】
以下、添付図面を参照して、本考案の実施の一形態について説明する。
【００１５】
図１に示すように、本考案の実施の一形態に係る漏斗１は、組立状態において、倒立截頭円錐状の漏斗本体２と、該漏斗本体２の下端部の液体出口（流体出口）３をボトル４の口５に対して位置決めする位置決め部材６（６ａ，６ａ，６ｂ，６ｂ）と、を備える。前記漏斗本体２は、上端に大きな開口部７を有し、下端に小さな前記液体出口３を有する。前記漏斗本体２は、紙又は合成樹脂製とされ、紙の場合には撥水コーティングが施されていることが好ましい。
【００１６】
本考案において、前記位置決め部材６は、前記漏斗本体２に切欠き形成又は切込み形成される少なくとも三つの爪部材である。該各爪部材６は、前記液体出口３よりも上方の位置に形成され、前記漏斗本体２の周方向に沿って等間隔で配設される。前記爪部材６は、後で説明するように、漏斗１をボトル４の口５にセットした状態において、ボトル４の口５の上縁部５ａに係合し、前記漏斗本体２をボトル４上に起立状態で安定的に支持させる作用を奏する。この作用の観点から、前記爪部材６は等間隔で少なくとも三つは必要であり、本実施の形態では、支持安定性と構成の簡潔性の双方を満たす好適例として、等間隔で四つの爪部材を備えた漏斗を図示してある。
【００１７】
図２に示すように、前記漏斗１は、展開状態において、第一の折れ線８を介して連設される一対の漏斗半体９，９を備える。該各漏斗半体９，９は、逆三角形状又は扇形状の板体である。一方の漏斗半体９の自由縁９ａには、第二の折れ線１０を介してのりしろ１１が連設される。該のりしろ１１に塗布される接着剤により、前記一対の漏斗半体９，９の自由縁９ａ，９ａ同士が互いに連結される。前記漏斗１は、前記のりしろ１１の部分を利用して前記漏斗半体９，９の自由縁９ａ，９ａ同士を連結させた状態で、前記二つの折れ線８，１０の部分で平面状に折畳まれる。この折畳み状態が図３に示されている。
【００１８】
図２に示すように、前記各漏斗半体９の下端部には舌状部１２が形成されている。これら二つの舌状部１２，１２の組み合わせにより、前記液体出口３が形成される。
【００１９】
前記舌状部１２の根元部分の左右両側には、倒立Ｖ字状の切欠き１３が形成されている。これらの切欠き１３は、図３に示すように、前記漏斗１の折畳み状態において対応するもの同士が互いに重なり合うことにより、前記四つの爪部材６の内の二つ（６ａ，６ａ）を構成する。この二つの切欠き状爪部材６ａ，６ａは、前記漏斗１の組立状態において漏斗の周面上で互いに対向する位置にある。
【００２０】
残る二つの爪部材６ｂ，６ｂは、前記各漏斗半体９から切り起こされて縦方向に延びるフラップ１３の下端部に形成される。具体的には、前記各漏斗半体９の中央部の下部に、各漏斗半体９の軸線方向に延びる切込み１５が形成される。この切込み１５の上部は所定量だけ横方向へ延び、前記切込み１５の下部は、Ｖ字状に切れ上がっている。このような切込み１５によって形成される前記フラップ１４を前記各漏斗半体９の面に対して直角に立てると、前記Ｖ字状の切込みの部分が前記爪部材６ｂとなる。この二つの切込み状爪部材６ｂ，６ｂは、前記漏斗１の組立状態において漏斗１の周面上で互いに対向する位置にある。
【００２１】
前記二つの切欠き状爪部材６ａ，６ａと前記二つの切込み状爪部材６ｂ，６ｂは、いずれも、組立状態の前記漏斗１をボトル４の口５にセットした状態において、前記ボトル４の口５の上端縁５ａに同時に接触し、該上端縁５ａの外方斜め下方へ傾斜して伸びる（図１参照）。
【００２２】
次に、前記漏斗１の使用方法の一例について説明する。
【００２３】
図４には、ボトル４に補充すべき液体が袋詰めされてなる、補充用袋詰め液体製品１６が示されている。まず、液体の注ぎ口１７が頂点になるように、袋詰め液体製品１６の上部を三角形状に折畳み、テープ１８等を用いて止める。次に、図５に示すように、漏斗１の二つのフラップ１４，１４を起こした後に、前記各漏斗半体を湾曲させて漏斗１を円錐状に膨らませる。これにより、前記漏斗１の上部に液体入口となる大きな開口部７が形成され、前記漏斗１の下部に、前記液体出口３が形成される。
【００２４】
そして、図６に示すように、前記漏斗１を逆さまにし、前記上部開口部７の側から前記袋詰め液体製品１６の注ぎ口に被せる。図７に示すように、前記漏斗１の液体出口３から突出した前記注ぎ口１７の先端部をはさみ等で切り取る。図８に示すように、液体を補充すべき空ボトル４を横にし、前記漏斗１の液体出口３と前記袋１６の注ぎ口１７を前記ボトル４の口５に挿入する。その状態のままで、図９に示すように、前記ボトル４と前記漏斗１と前記袋１６を同時に立てて、前記袋１６の重心をボトル４の中心に位置させて全体を安定させる。これにより、前記漏斗１によって前記ボトル４上で前記袋１６が安定的に支持され、前記袋１６内の液体をこぼすことなく前記ボトル４へ移し入れることができる。
【００２５】
本実施の形態によれば、前記漏斗本体２の液体出口３を前記ボトル４の口５に挿入すると、前記四つの爪部材６（６ａ，６ａ，６ｂ，６ｂ）が前記ボトル４の口５の上縁部５ａに係合し、これによって、前記液体出口３が前記ボトル４の口５に対して位置決めされる。このため、漏斗本体２をボトル４の口５に安定して取り付けることができる。液体をボトル４に注ぎ込む際に漏斗１を手指で把持しなくてもよいので、ぐにゃぐにゃした液体入り袋から液体を注ぐ場合であっても、袋を両手で把持して容易に液体を注ぎ込むことができる。
【００２６】
また、前記位置決め部材が前記漏斗本体２に切欠き形成又は切込み形成される爪部材６ａ，６ａ，６ｂ，６ｂであるので、構成が簡素であり、製造コストの低減にも貢献できる。
【００２７】
さらに、前記漏斗１を前記ボトル４の口５にセットした状態において、前記各爪部材６ａ，６ａ，６ｂ，６ｂが、前記ボトル４の口５の上端縁５ａに接触して該上端縁５ａの外方斜め下方へ傾斜して伸びるので、ボトル４の口５に対する漏斗１の取り付け状態の安定性が一層向上する。
【００２８】
さらにまた、前記漏斗本体２は、不使用時には前記第一の折れ線８と第二の折れ線１０の部分で平面状に折畳まれており、使用時には、前記各漏斗半体９，９を湾曲させて前記漏斗本体２を円錐状に組み立てればよい。よって、構成が簡潔でありコストも抑制できるほか、漏斗の組み立ても容易に行える。
【００２９】
なお、前記漏斗１は、液体だけでなく、他の流体、例えば、粉体や粒体の移し入れにも用いることができる。
【符号の説明】
【００３０】
１    組立式漏斗
２    漏斗本体
３    液体出口（流体出口）
６（６ａ，６ａ）  位置決め部材（切欠き状爪部材）
６（６ｂ，６ｂ）  位置決め部材（切込み状爪部材）
４    ボトル
５    ボトルの口
５ａ  ボトルの口の上縁部
８    第一の折れ線
９，９  一対の漏斗半体
９ａ，９ａ  漏斗半体の自由端
１０  第二の折れ線
１１  のりしろ
１４  フラップ
【図１】
0003171453.tif 000003
【図２】
0003171453.tif 000004
【図３】
0003171453.tif 000005
【図４】
0003171453.tif 000006
【図５】
0003171453.tif 000007
【図６】
0003171453.tif 000008
【図７】
0003171453.tif 000009
【図８】
0003171453.tif 000010
【図９】
0003171453.tif 000011